(57)【要約】【課題】受講対象者の個人情報が漏洩しないよう高いセキュリティーを担保しつつより効率的に高齢者講習の予約を行うことができる。【解決手段】  システムサーバは、受講対象者の免許証番号を用いて、受講対象者ごとにパスワードを生成するパスワード生成部と、前記パスワードと受講対象者に固有の所定ＩＤとを対応付けた受講対象者認証情報を生成する情報生成部と、前記非同期サーバを介して前記受講対象者認証情報を前記Ｗｅｂ予約サーバに送信する通信部と、を備え、Ｗｅｂ予約サーバは、受講対象者からの入力を受け付けたＩＤおよびパスワードと、前記受講対象者認証情報に含まれる前記所定ＩＤおよび前記パスワードとが一致する場合、該受講対象者から予約に関する情報の入力を受け付け、該予約に関する情報と、前記所定ＩＤおよび前記パスワードとを対応付けた予約情報を生成する予約受付部を備える。【選択図】図１
2018147367.tif 000002
【特許請求の範囲】
【請求項１】
システムサーバと、非同期サーバと、Ｗｅｂ予約サーバとを有する高齢者講習予約システムであって、
前記システムサーバは、
受講対象者の免許証番号を用いて、受講対象者ごとにパスワードを生成するパスワード生成部と、
前記パスワードと受講対象者に固有の所定ＩＤとを対応付けた受講対象者認証情報を生成する情報生成部と、
前記非同期サーバを介して前記受講対象者認証情報を前記Ｗｅｂ予約サーバに送信する通信部と、を備え、
前記Ｗｅｂ予約サーバは、
受講対象者からの入力を受け付けたＩＤおよびパスワードと、前記受講対象者認証情報に含まれる前記所定ＩＤおよび前記パスワードとが一致する場合、該受講対象者から予約に関する情報の入力を受け付け、該予約に関する情報と、前記所定ＩＤおよび前記パスワードとを対応付けた予約情報を生成する予約受付部を備える
ことを特徴とする高齢者講習予約システム。
【請求項２】
請求項１に記載の高齢者講習予約システムであって、
前記Ｗｅｂ予約サーバは、
前記非同期サーバを介して前記予約情報を前記システムサーバに送信する通信部をさらに備え、
前記システムサーバの情報生成部は、
前記受講対象者認証情報と前記予約情報とを用いて、少なくとも高齢者講習を予約した前記受講対象者の前記所定ＩＤと、前記パスワードと、氏名とを含む照会情報を生成する
ことを特徴とする高齢者講習予約システム。
【請求項３】
請求項１および２に記載の高齢者講習予約システムであって、
前記非同期サーバは、
閉域網にある前記システムサーバとの通信を行う場合、公衆回線網にある前記Ｗｅｂ予約サーバとの通信を遮断し、前記公衆回線網にある前記Ｗｅｂ予約サーバとの通信を行う場合、前記閉域網にある前記システムサーバとの通信を遮断する通信切替部を備える
ことを特徴とする高齢者講習予約システム。
【請求項４】
請求項１に記載の高齢者講習予約システムであって、
前記Ｗｅｂ予約サーバは、
前記高齢者講習を行う講習実施機関から前記講習予約枠に関する情報の入力を受け付けて講習予約枠情報を生成する講習予約枠受付部をさらに備える
ことを特徴とする高齢者講習予約システム。
【請求項５】
請求項１に記載の高齢者講習予約システムであって、
前記Ｗｅｂ予約サーバの予約受付部は、
前記受講対象者が使用するユーザ端末に対し、前記高齢者講習の講習予約枠に関する情報を選択可能に表示させ、該受講対象者から受け付けた予約に関する入力情報に基づき前記予約情報を生成する
ことを特徴とする高齢者講習予約システム。
【請求項６】
請求項１に記載の高齢者講習予約システムであって、
前記予約受付部は、
前記受講対象者が前記高齢者講習の受講予約を行うと、該受講対象者の電子メールアドレス宛てに予約完了を伝える電子メールを送信し、
前記予約情報を用いて前記高齢者講習の受講予定日が翌日である前記受講対象者を特定し、該受講対象者の電子メールアドレス宛てに受講予定日が翌日であることを伝える電子メールを送信し、
前記予約情報を用いて前記高齢者講習の受講予定日が前日であった前記受講対象者を特定し、該受講対象者の電子メールアドレス宛てに別途免許更新の手続きが必要なことを伝える電子メールを送信する
ことを特徴とする高齢者講習予約システム。
【請求項７】
請求項１に記載の高齢者講習予約システムであって、
前記情報生成部は、
臨時の認知機能検査に関する案内ハガキの受領日を示す情報の入力を受け付けると、該受領日を対象高齢者の前記所定ＩＤおよびパスワードに対応付けた前記受講対象者認証情報を生成し、
前記Ｗｅｂ予約サーバの予約受付部は、
前記対象高齢者から受け付けたＩＤおよびパスワードと一致する前記所定ＩＤおよび前記パスワードが対応付けられた該対象高齢者に関する情報を前記受講対象者認証情報から特定し、
特定した前記対象高齢者の前記受講対象者認証情報に対応付けられている前記受領日が所定期間を経過している場合、前記臨時の認知機能検査の予約を受け付けない
ことを特徴とする高齢者講習予約システム。
【請求項８】
閉域網と公衆回線網とを非同期的に通信可能に接続する非同期サーバを介して、閉域網から公衆回線網のＷｅｂ予約サーバに所定情報を送信するシステムサーバであって、
高齢者講習の受講対象者の免許証番号を用いて、受講対象者ごとにパスワードを生成するパスワード生成部と、
前記パスワードと受講対象者に固有の所定ＩＤとを対応付けた受講対象者認証情報を生成する情報生成部と、
前記受講対象者認証情報を前記Ｗｅｂ予約サーバに送信する通信部と、を備える
ことを特徴とするシステムサーバ。
【請求項９】
請求項８に記載のシステムサーバであって、
前記受講対象者認証情報と、前記Ｗｅｂ予約サーバから取得した高齢者講習の予約情報とを用いて、少なくとも前記高齢者講習を予約した前記受講対象者の前記所定ＩＤと、前記パスワードと、氏名とを含む照会情報を生成する
ことを特徴とするシステムサーバ。
【請求項１０】
閉域網と公衆回線網とを非同期的に通信可能に接続する非同期サーバを介して、公衆回線網から閉域網のシステムサーバに所定情報を送信するＷｅｂ予約サーバであって、
高齢者講習の受講対象者からの入力を受け付けたＩＤおよびパスワードと、前記システムサーバから取得した受講対象者認証情報に含まれる所定ＩＤおよびパスワードとが一致する場合、該受講対象者から予約に関する情報の入力を受け付け、該予約に関する情報と、前記所定ＩＤおよび前記パスワードとを対応付けた予約情報を生成する予約受付部を備える
ことを特徴とするＷｅｂ予約サーバ。
【請求項１１】
請求項１０に記載のＷｅｂ予約サーバであって、
生成した前記予約情報を前記システムサーバに送信する通信部をさらに備える
ことを特徴とするＷｅｂ予約サーバ。
【請求項１２】
システムサーバと、非同期サーバと、Ｗｅｂ予約サーバとを有する高齢者講習予約システムで行われる高齢者講習予約方法であって、
前記システムサーバは、
受講対象者の免許証番号を用いて、受講対象者ごとにパスワードを生成するパスワード生成ステップと、
前記パスワードと受講対象者に固有の所定ＩＤとを対応付けた受講対象者認証情報を生成する情報生成ステップと、
前記非同期サーバを介して前記受講対象者認証情報を前記Ｗｅｂ予約サーバに送信する通信ステップと、を行い、
前記Ｗｅｂ予約サーバは、
受講対象者からの入力を受け付けたＩＤおよびパスワードと、前記受講対象者認証情報に含まれる前記所定ＩＤおよび前記パスワードとが一致する場合、該受講対象者から予約に関する情報の入力を受け付け、該予約に関する情報と、前記所定ＩＤおよび前記パスワードとを対応付けた予約情報を生成する予約受付ステップとを行う
ことを特徴とする高齢者講習予約方法。
【発明の詳細な説明】
【技術分野】
【０００１】
本発明は、高齢者講習予約システム、システムサーバ、Ｗｅｂ予約サーバおよび高齢者講習予約方法に関する。
【背景技術】
【０００２】
７０歳以上の高齢者が運転免許の更新を希望する場合、高齢者講習の受講が道路交通法で義務付けられている。運転免許証の更新を希望する高齢者は、免許更新に関する案内（ハガキ）に従い、所定の自動車教習所に高齢者講習の予約を行う。
【発明の概要】
【発明が解決しようとする課題】
【０００３】
免許更新に関する案内には、予め、所定の自動車教習所が記載されている。また、自動車教習所には、自校を指定の自動車教習所として記載した案内が送付された受講対象者の情報（受講者リスト）が県警の公安委員会から配布される。指定の自動車教習所に予約が行われる場合、自動車教習所は、予約を行う受講対象者の情報を予め所持しているため、比較的スムーズに高齢者講習の予約を行うことができる。
【０００４】
一方で、高齢者講習は、指定以外の自動車教習所でも受講することができる。そのため、受講対象者は、例えば、自宅から通い易い自動車教習所に高齢者講習の予約を行うことがある。このような場合、自動車教習所は、かかる受講対象者の情報を所持していないため、氏名や運転免許証番号などの予約に必要な情報を全て聴き出して記録しなければならず、非常に手間がかかる。また、自動車教習所は、希望の受講日時におけるクラスの空き状況を調べなければならないため、高齢者講習の予約に多くの人員および労力を費やさなければならないという問題がある。そのため、高齢者講習を受けようとする受講対象者および自動車教習所の両者にとって手間がかからず、スムーズに高齢者講習の予約を行うことができるシステムの構築が望まれている。
【０００５】
そこで、本発明は、受講対象者の個人情報が漏洩しないよう高いセキュリティーを担保しつつより効率的に高齢者講習の予約を行うことができる高齢者講習予約システムの提供を目的とする。
【課題を解決するための手段】
【０００６】
上記課題を解決するため、本発明の一態様に係る高齢者講習予約システムは、システムサーバと、非同期サーバと、Ｗｅｂ予約サーバとを有する高齢者講習予約システムであって、前記システムサーバは、受講対象者の免許証番号を用いて、受講対象者ごとにパスワードを生成するパスワード生成部と、前記パスワードと受講対象者に固有の所定ＩＤとを対応付けた受講対象者認証情報を生成する情報生成部と、前記非同期サーバを介して前記受講対象者認証情報を前記Ｗｅｂ予約サーバに送信する通信部と、を備え、前記Ｗｅｂ予約サーバは、受講対象者からの入力を受け付けたＩＤおよびパスワードと、前記受講対象者認証情報に含まれる前記所定ＩＤおよび前記パスワードとが一致する場合、該受講対象者から予約に関する情報の入力を受け付け、該予約に関する情報と、前記所定ＩＤおよび前記パスワードとを対応付けた予約情報を生成する予約受付部を備える。
【発明の効果】
【０００７】
本発明に係る高齢者講習予約システムによれば、受講対象者の個人情報が漏洩しないよう高いセキュリティーを担保しつつより効率的に高齢者講習の予約を行うことができる。
【図面の簡単な説明】
【０００８】
【図１】本発明の一実施形態に係る高齢者講習予約システムの概略構成の一例を示した図である。
【図２】本発明の一実施形態に係るシステムサーバ、非同期サーバおよびＷｅｂ予約サーバの各機能構成の一例を示した機能ブロック図である。
【図３】本発明の一実施形態に係る受講対象者情報の一例を示した図である。
【図４】本発明の一実施形態に係る自動車教習所情報の一例を示した図である。
【図５】本発明の一実施形態に係る受講対象者認証情報の一例を示した図である。
【図６】本発明の一実施形態に係る講習予約枠情報の一例を示した図である。
【図７】本発明の一実施形態に係る予約情報の一例を示した図である。
【図８】本発明の一実施形態に係るシステムサーバ、非同期サーバおよびＷｅｂ予約サーバのハードウェア構成の一例を示した図である。
【図９】本発明の一実施形態に係る高齢者講習予約システムで行われる処理および情報の流れの一例を示したシーケンス図である。
【図１０】本発明の一実施形態に係る教習所端末Ｂに表示される講習予約枠に関する情報の入力画面の一例を示した図である。
【図１１】本発明の一実施形態に係る講習予約枠作成画面の一例を示した図である。
【図１２】図１２（ａ）は、本発明の一実施形態に係るユーザ端末に表示される受講対象者の第１認証画面の一例を示した図である。図１２（ｂ）は、本発明の一実施形態に係るユーザ端末に表示される受講対象者の第２認証画面の一例を示した図である。
【図１３】図１３（ａ）は、本発明の一実施形態に係る予約入力画面の一例を示した図である。図１３（ｂ）は、本発明の一実施形態に係る確認画面の一例を示した図である。
【発明を実施するための形態】
【０００９】
以下、本発明の一実施形態について図面を用いて説明する。
【００１０】
図１は、本発明の一実施形態に係る高齢者講習予約システム１０００の概略構成の一例を示した図である。高齢者講習予約システム１０００は、システムサーバ１００と、非同期サーバ２００と、Ｗｅｂ予約サーバ３００と、県警の公安委員会が保有する業務端末（以下、「公安委員会端末４００」という）と、高齢者講習を実施可能な講習実施機関（以下、その一例として自動車教習所を挙げて説明する）が保有する業務端末（以下、「教習所端末Ａ４１０」または「教習所端末Ｂ４２０」という）と、高齢者講習の受講対象者が使用する端末装置（以下、「ユーザ端末４３０」という）とを有している。
【００１１】
システムサーバ１００と、公安委員会端末４００と、教習所端末Ａ４１０と、非同期サーバ２００とは、専用線を用いて相互通信可能に接続されており、インターネットなどの公衆回線網から直接的なアクセスを受け付けない閉域網を構築している。また、Ｗｅｂ予約サーバ３００と、教習所端末Ｂ４２０と、ユーザ端末４３０と、非同期サーバ２００とは、インターネットなど所定の公衆回線網を介して相互通信可能に接続されている。なお、非同期サーバ２００の一端側は専用線を用いてシステムサーバ１００に接続され、他端側はインターネットなどの公衆回線を介してＷｅｂ予約サーバ３００に接続されている。
【００１２】
システムサーバ１００は、公安委員会端末４００から取得した高齢者講習の受講対象者リスト（図示せず）を用いて様々な処理を実行する中心的なサーバ装置である。非同期サーバ２００は、閉域網に属するシステムサーバ１００と、公衆回線網に属するＷｅｂ予約サーバ３００とを非同期に通信接続するサーバ装置である。Ｗｅｂ予約サーバ３００は、自動車教習所端末Ｂ４２０から取得した情報に基づいて高齢者講習の講習予約枠情報を生成したり、ユーザ端末４３０から取得した情報に基づいて予約情報を生成するサーバ装置である。なお、これらのサーバ装置に関する詳細については後述する。
【００１３】
公安委員会端末４００は、高齢者講習の受講対象者リストを保有する端末装置である。なお、受講対象者リストは、例えば、受講対象者の免許証番号と、氏名と、性別と、生年月日と、年齢と、住所と、免許証の有効年月日と、免許証の交付年月日と、普通免許や大型免許といった免許種別と、受講対象者を識別する固有のＩＤとが対応付けられた情報である。公安委員会端末４００は、専用線を介して、受講対象者リストをシステムサーバ１００に送信する。
【００１４】
また、公安委員会端末４００は、受講対象者リストの免許証番号を用いて、受講対象者に固有のパスワードを生成する。具体的には、公安委員会端末４００は、例えば、免許証番号と所定の演算式とを用いてチェックデジット（チェック用数字）を生成し、生成したチェックデジットを含む所定桁（例えば、５桁〜１０桁）のパスワードを生成する。なお、チェックデジットは、例えば、モジュラスＸ（Ｘは整数）といった周知のチェックデジット算出方法が用いられれば良い。
【００１５】
また、公安委員会端末４００は、高齢者講習の受講対象者ごとに、対応するＩＤと、氏名と、住所とを受講対象者リストから抽出し、抽出した情報と、生成したパスワードと、高齢者講習の予約サイト（Ｗｅｂ予約サーバ３００が提供する予約サイト）のＵＲＬとを含む高齢者講習案内情報を生成する。また、公安委員会端末４００は、高齢者講習案内ハガキを作成するための所定のプリンターに高齢者講習案内情報を出力する。
【００１６】
また、公安委員会端末４００は、受講予約者に関する情報の照会要求をシステムサーバ１００に送信し、照会情報を取得する。
【００１７】
教習所端末Ａ４１０は、閉域網側のサーバ装置であるシステムサーバ１００と通信するための端末装置である。具体的には、教習所端末Ａ４１０は、かかる教習所端末Ａ４１０の設置されている自動車教習所が実施する高齢者講習に予約を行った受講対象者（以下、「受講予約者」という場合がある）に関する情報の照会要求をシステムサーバ１００に送信し、照会情報を取得する。
【００１８】
教習所端末Ｂ４２０は、公衆回線網側のサーバ装置であるＷｅｂ予約サーバ３００と通信するための端末装置である。具体的には、教習所端末Ｂ４２０は、かかる教習所端末Ｂ４２０の設置されている自動車教習所が実施する高齢者講習の講習予約枠に関する情報をＷｅｂ予約サーバ３００に送信する。
【００１９】
なお、図示しないが、高齢者講習予約システムには、高齢者講習を実施可能な講習実施機関であって、同様の構成（教習所端末Ａ４１０および教習所端末Ｂ４２０）を有する複数の自動車教習所が含まれており、各教習所端末Ａ４１０が各々、システムサーバ１００と接続し、各教習所端末Ｂ４２０がＷｅｂ予約サーバ３００と接続している。
【００２０】
ユーザ端末４３０は、例えば、受講対象者の自宅などに設置され、かかる受講対象者が高齢者講習の予約を行う際に使用する端末装置である。具体的には、ユーザ端末４３０は、高齢者講習の案内ハガキに記載されているＩＤおよびパスワードの入力を使用者（受講対象者）から受け付ける。また、ユーザ端末４３０は、ＩＤおよびパスワードをＷｅｂ予約サーバ３００に送信することにより高齢者講習のＷｅｂ予約サイトにログインする。また、ユーザ端末４３０は、高齢者講習の講習予約枠に関する情報をＷｅｂ予約サーバ３００から取得してディスプレイに表示する。また、ユーザ端末４３０は、受講対象者が受講を希望する自動車教習所や日程および時間といった予約に関する情報をＷｅｂ予約サーバ３００に送信することにより高齢者講習の予約を行う。
【００２１】
以下、システムサーバ１００、非同期サーバ２００およびＷｅｂ予約サーバ３００の各機能構成について説明する。図２は、システムサーバ１００、非同期サーバ２００およびＷｅｂ予約サーバ３００の各機能構成の一例を示した機能ブロック図である。
【００２２】
システムサーバ１００は、演算部１０１と、記憶部１１０と、通信部１２０とを有している。演算部１０１は、パスワード生成部１０２と、情報生成部１０３と、照会受付部１０４とを含んでいる。
【００２３】
パスワード生成部１０２は、受講対象者に固有のパスワードを生成する機能部である。具体的には、パスワード生成部１０２は、公安委員会端末４００から取得した受講対象者リストに含まれる免許証番号と所定の演算式とを用いてチェックデジットを生成し、チェックデジットを含む所定桁（例えば、５桁〜１０桁）のパスワードを生成する。なお、パスワード生成部１０２は、公安委員会端末４００がパスワードの生成に用いるのと同じ演算式によりパスワードの生成を行う。そのため、パスワード生成部１０２により生成される各受講対象者固有のパスワードは、公安委員会端末４００で生成された各受講対象者のパスワードと一致するものである。
【００２４】
情報生成部１０３は、所定情報を生成する機能部である。具体的には、情報生成部１０３は、受講対象者情報１１１と、自動車教習所情報１１２と、受講対象者認証情報１１３とを生成し、これらの情報を記憶部１１０に格納する。
【００２５】
図３は、受講対象者情報１１１の一例を示した図である。受講対象者情報１１１は、高齢者講習の受講対象者を特定する情報である。具体的には、受講対象者情報１１１は、免許証番号１１１ａと、氏名１１１ｂと、性別１１１ｃと、生年月日１１１ｄと、年齢１１１ｅと、住所１１１ｆと、有効年月日１１１ｇと、交付年月日１１１ｈと、免許種別１１１ｉと、ＩＤ１１１ｊと、パスワード１１１ｋとが対応付けられたレコードを有している。
【００２６】
免許証番号１１１ａは、受講対象者の免許証番号を示す情報である。氏名１１１ｂは、受講対象者の氏名を示す情報である。性別１１１ｃは、受講対象者の性別を示す情報である。生年月日１１１ｄは、受講対象者の生年月日を示す情報である。年齢１１１ｅは、受講対象者の年齢を示す情報である。住所１１１ｆは、受講対象者の住所を示す情報である。有効年月日１１１ｇは、免許証の有効年月日を示す情報である。交付年月日１１１ｈは、免許証の交付された年月日を示す情報である。免許種別１１１ｉは、普通免許、中型免許、大型特殊免許などの免許の種別を示す情報である。ＩＤ１１１ｊは、受講対象者を一意に識別する固有の識別情報であって、受講対象者が高齢者講習の予約を行う際にアクセスするＷｅｂ予約サーバ３００のログインＩＤとして用いられる情報である。パスワード１１１ｋは、パスワード生成部１０２によって生成された受講対象者に固有のパスワードであって、Ｗｅｂ予約サーバ３００へのログイン時に用いられるパスワードである。
【００２７】
このような受講対象者情報１１１は、受講対象者リストの免許証番号を用いてパスワード生成部１０２により受講対象者ごとにパスワードが生成された後で、情報生成部１０３により生成される。
【００２８】
図４は、自動車教習所情報１１２の一例を示した図である。自動車教習所情報１１２は、各都道府県内にある高齢者講習の講習実施機関に指定されている自動車教習所に関する情報である。具体的には、自動車教習所情報１１２は、教習所ＩＤ１１２ａと、教習所名１１２ｂと、住所１１２ｃと、電話番号１１２ｄとが対応付けられたレコードを有している。
【００２９】
教習所ＩＤ１１２ａは、各教習所を一意に識別する情報である。教習所名１１２ｂは、教習所の名称を示す情報である。住所１１２ｃは、教習所の住所を示す情報である。電話番号１１２ｄは、教習所の電話番号を示す情報である。
【００３０】
このような自動車教習所情報１１２は、例えば、公安委員会端末４００で生成されたものをシステムサーバ１００が取得しても良い。なお、自動車教習所情報１１２は、システムサーバ１００に接続された図示しない入力装置（例えば、キーボード、マウス、タッチパネルなど）を介して、自動車教習所に関する入力情報を取得した情報生成部１０３により生成されても良い。
【００３１】
図５は、受講対象者認証情報１１３の一例を示した図である。受講対象者認証情報１１３は、受講対象者がユーザ端末４３０を介してＷｅｂ予約サーバ３００にログインする際の認証などに用いられる情報である。具体的には、受講対象者認証情報１１３は、ＩＤ１１３ａと、パスワード１１３ｂと、生年月日１１３ｃと、年齢１１３ｄと、教習所名１１３ｅとが対応付けられたレコードを有している。
【００３２】
ＩＤ１１３ａは、受講対象者を一意に識別する固有の識別情報である。パスワード１１３ｂは、パスワード生成部１０２によって生成された受講対象者に固有のパスワードである。生年月日１１３ｃは、受講対象者の生年月日を示す情報である。年齢１１３ｄは、受講対象者の年齢を示す情報である。教習所名１１３ｅは、予約候補となる自動車教習所名を示した情報である。
【００３３】
このような受講対象者認証情報１１３は、受講対象者情報１１１を用いて情報生成部１０３により生成される。
【００３４】
図２に戻って説明する。照会受付部１０４は、通信部１２０を介して、公安委員会端末４００および教習所端末Ａ４１０から受講予約者に関する情報の照会要求を受け付ける機能部である。照会受付部１０４は、公安委員会端末４００および教習所端末Ａ４１０から照会要求を受け付けた受講予約者に関する情報を生成する。また、照会受付部１０４は、これらの照会要求を受け付けるための所定の画面情報を生成し、公安委員会端末４００や教習所端末Ａ４１０に表示させる。
【００３５】
記憶部１１０は、様々な情報を格納する機能部である。具体的には、記憶部１１０は、前述の受講対象者情報１１１と、自動車教習所情報１１２と、受講対象者認証情報１１３とを有している。
【００３６】
通信部１２０は、外部装置（本例では、非同期サーバ２００ならびに公安委員会端末４００および教習所端末Ａ４１０）との間で情報通信を行う機能部である。具体的には、通信部１２０は、受講対象者認証情報１１３を非同期サーバ２００に送信する。また、通信部１２０は、Ｗｅｂ予約サーバ３００で生成された予約情報３１２を非同期サーバ２００から取得する。また、通信部１２０は、公安委員会端末４００および教習所端末Ａ４１０から照会要求を取得する。また、通信部１２０は、公安委員会端末４００および教習所端末Ａ４１０の各々に対し、受講予約者に関する情報を送信する。また、通信部１２０は、所定の画面情報を公安委員会端末４００や教習所端末Ａ４１０に送信する。
【００３７】
非同期サーバ２００は、閉域網にあるシステムサーバ１００と公衆回線網にあるＷｅｂ予約サーバ３００とを非同期に通信接続し、両サーバ装置間でやり取りされる所定情報を中継する装置である。具体的には、非同期サーバ２００は、閉域網のシステムサーバ１００と通信する際には公衆回線網側との通信を遮断し、公衆回線網のＷｅｂ予約サーバ３００と通信する際には閉域網側の通信を遮断する制御を行う。より具体的には、非同期サーバ２００は、閉域網通信部２０１と、通信網切替部２０２と、公衆回線網通信部２０３とを有している。
【００３８】
閉域網通信部２０１は、閉域網側にあるシステムサーバ１００と情報通信を行う機能部である。具体的には、閉域網通信部２０１は、公衆回線網との通信を遮断した通信網切替部２０２からの許可に基づきシステムサーバ１００から受講対象者認証情報１１３を取得する。また、閉域網通信部２０１は、閉域網および公衆回線網との通信を遮断した通信網切替部２０２からの許可に基づき、受講対象者認証情報１１３を公衆回線網通信部２０３に受け渡す。また、閉域網通信部２０１は、公衆回線網との通信を遮断した通信網切替部２０２からの許可に基づき、公衆回線網通信部２０３から取得した予約情報３１２をシステムサーバ１００に送信する。
【００３９】
公衆回線網通信部２０３は、公衆回線網側にあるＷｅｂ予約サーバ３００と情報通信を行う機能部である。具体的には、公衆回線網通信部２０３は、閉域網との通信を遮断した通信網切替部２０２からの許可に基づきＷｅｂ予約サーバ３００から予約情報３１２を取得する。また、公衆回線網通信部２０３は、閉域網および公衆回線網との通信を遮断した通信網切替部２０２からの許可に基づき、予約情報３１２を閉域網通信部２０１に受け渡す。また、公衆回線網通信部２０３は、閉域網との通信を遮断した通信網切替部２０２からの許可に基づき、閉域網通信部２０１から取得した受講対象者情報１１１をＷｅｂ予約サーバ３００に送信する。
【００４０】
通信網切替部２０２は、閉域網および公衆回線網のうち、いずれか一方との通信のみを許可する制御を行う機能部である。具体的には、通信網切替部２０２は、閉域網通信部２０１とシステムサーバ１００とが通信を行う場合、公衆回線網通信部２０３とＷｅｂ予約サーバ３００との通信を遮断し、公衆回線網通信部２０３とＷｅｂ予約サーバ３００とが通信を行う場合、閉域網通信部２０１とシステムサーバ１００との通信を遮断する。また、通信網切替部２０２は、閉域網および公衆回線網との通信を遮断した状態でのみ閉域網通信部２０１および公衆回線網通信部２０３間の情報の受け渡しを許可する。
【００４１】
より具体的には、通信網切替部２０２は、閉域網通信部２０１とシステムサーバ１００とが通信を行う場合、非同期サーバ２００の公衆回線網側の通信ポートを閉じる（遮断する）制御を行い、公衆回線網通信部２０３とＷｅｂ予約サーバ３００とが通信を行う場合、非同期サーバ２００の閉域網側の通信ポートを閉じる（遮断する）制御を行う。また、通信網切替部２０２は、閉域網通信部２０１と公衆回線網通信部２０３との間で情報の受け渡しを許可する場合、非同期サーバ２００の閉域網および公衆回線網の両側の通信ポートを閉じる（遮断する）制御を行う。
【００４２】
Ｗｅｂ予約サーバ３００は、高齢者講習のＷｅｂ予約サービスを提供するサーバ装置である。具体的には、Ｗｅｂ予約サーバ３００は、演算部３０１と、記憶部３１０と、通信部３２０とを有している。演算部３０１は、講習予約枠受付部３０２と、予約受付部３０３と、表示情報生成部３０４とを含んでいる。
【００４３】
講習予約枠受付部３０２は、自動車教習所で実施される高齢者講習の講習予約枠に関する情報の入力を受け付ける機能部である。具体的には、講習予約枠受付部３０２は、教習所端末Ｂ４２０から講習予約枠に関する情報の入力を受け付けると、講習予約枠情報３１１を生成し、これを記憶部３１０に格納する。
【００４４】
図６は、講習予約枠情報３１１の一例を示した図である。講習予約枠情報３１１は、自動車教習所で実施される高齢者講習の講習予約枠に関する情報である。具体的には、講習予約枠情報３１１は、教習所名３１１ａと、講習種別名３１１ｂと、日程３１１ｃと、開始時刻３１１ｄと、終了時刻３１１ｅと、定員３１１ｆと、車種３１１ｇとが対応付けられたレコードを有している。
【００４５】
教習所名３１１ａは、高齢者講習を実施する自動車教習所の名称を示す情報である。講習種別名３１１ｂは、高齢者講習の講習種別の名称を示す情報である。講習種別の名称には、７５歳以上の高齢者に義務付けられる認知機能検査と、７５歳未満または７５歳以上でも認知機能検査で記憶力、判断力に問題がないと判定された場合の短期講習と、７５歳以上の高齢者で、認知機能検査で記憶力、判断力が低くなっていると判定された場合の長期講習との３種類がある。なお、講習種別名３１１ｂは、例示した３種類に限られるものではなく、これら以外にも必要に応じて適宜設定されれば良い。日程３１１ｃは、高齢者講習の講習種別ごとの開講日を示す情報である。開始時刻３１１ｄおよび終了時刻３１１ｅは、講習種別および車種ごとの高齢者講習の実施時間帯を示す情報である。定員３１１ｆは、所定の開講日における講習種別および車種ごとの定員数を示す情報である。車種３１１ｇは、免許種別に対応する高齢者講習の対象車種を示す情報であって、例えば、普通車、中型車、大型車、原付きなどがある。
【００４６】
図２に戻って説明する。予約受付部３０３は、ユーザ端末４３０から高齢者講習の予約を受け付ける機能部である。具体的には、予約受付部３０３は、ユーザ端末４３０から高齢者講習の予約に関する情報の入力を受け付けると、予約情報３１２を生成し、これを記憶部３１０に格納する。
【００４７】
図７は、予約情報３１２の一例を示した図である。予約情報３１２は、受講対象者による高齢者講習の予約に関する情報である。具体的には、予約情報３１２は、ＩＤ３１２ａと、パスワード３１２ｂと、生年月日３１２ｃと、教習所名３１２ｄと、予約講習種別名３１２ｅと、受講予定日３１２ｆと、受講時間帯３１２ｇとが対応付けられたレコードを有している。
【００４８】
ＩＤ３１２ａは、高齢者講習を予約した受講予約者を一意に識別する固有の識別情報である。パスワード３１２ｂは、受講予約者に固有のパスワードである。生年月日３１２ｃは、受講予約者の生年月日を示す情報である。教習所名３１２ｄは、受講予約者が予約した高齢者講習を実施する自動車教習所の名称を示す情報である。予約講習種別名３１２ｅは、受講予約者が予約した高齢者講習の講習種別名を示す情報である。受講予定日３１２ｆは、受講予約者が予約した高齢者講習の実施予定日を示す情報である。受講時間帯３１２ｇは、受講予約者が予約した高齢者講習の実施時間帯を示す情報である。
【００４９】
図２に戻って説明する。表示情報生成部３０４は、教習所端末Ｂ４２０およびユーザ端末４３０に表示させる所定の画面情報を生成する機能部である。具体的には、表示情報生成部３０４は、教習所端末Ｂ４２０から高齢者講習の予約枠に関する情報の入力を受け付けるための所定の入力画面情報を生成する。また、表示情報生成部３０４は、ユーザ端末４３０から高齢者講習の予約に関する情報の入力を受け付けるための所定の入力画面情報を生成する。また、表示情報生成部３０４は、生成したこれらの画面情報を通信部３２０を介して教習所端末Ｂ４２０あるいはユーザ端末４３０に送信する。
【００５０】
記憶部３１０は、所定情報を格納する機能部である。具体的には、記憶部３１０は、前述の講習予約枠情報３１１および予約情報３１２を格納している。
【００５１】
通信部３２０は、外部装置（本例では、非同期サーバ２００ならびに教習所端末Ｂ４２０およびユーザ端末４３０）との間で情報通信を行う機能部である。具体的には、通信部３２０は、予約情報３１２を非同期サーバ２００に送信する。また、通信部３２０は、システムサーバ１００で生成された受講対象者認証情報１１３を非同期サーバ２００から取得する。また、通信部３２０は、教習所端末Ｂ４２０およびユーザ端末４３０から講習予約枠および高齢者講習の予約に関する情報を取得する。また、通信部３２０は、所定の画面情報を教習所端末Ｂ４２０およびユーザ端末４３０に送信する。
【００５２】
以上、システムサーバ１００、非同期サーバ２００およびＷｅｂ予約サーバ３００の機能ブロックについて説明した。
【００５３】
次に、システムサーバ１００、非同期サーバ２００およびＷｅｂ予約サーバ３００のハードウェア構成の一例について説明する。
【００５４】
図８は、システムサーバ１００、非同期サーバ２００およびＷｅｂ予約サーバ３００のハードウェア構成の一例を示した図である。これらのサーバ装置は、例えば、メインフレームのような汎用コンピュータやワークステーションなどで実現される情報処理装置である。なお、システムサーバ１００、非同期サーバ２００およびＷｅｂ予約サーバ３００は各々、別個のサーバ装置であるが、ハードウェア構成が共通するため、各サーバ装置に共通のハードウェア構成として説明する。
【００５５】
これらのサーバ装置は、演算装置であるＣＰＵ（Ｃｅｎｔｒａｌ  Ｐｒｏｃｅｓｓｉｎｇ  Ｕｎｉｔ）５０１と、記憶装置であるＲＡＭ（Ｒａｎｄｏｍ  Ａｃｃｅｓｓ  Ｍｅｍｏｒｙ）５０２およびＲＯＭ（Ｒｅａｄ  Ｏｎｌｙ  Ｍｅｍｏｒｙ）５０３と、外部装置との間で通信を行う通信装置５０４と、ハードディスク装置やフラッシュメモリなどの外部記憶装置５０５と、各々の装置を相互に接続するバス５０６、とを有している。
【００５６】
システムサーバ１００の演算部１０１およびＷｅｂ予約サーバ３００の演算部３０１あるいは非同期サーバ２００の通信網切替部２０２は、ＣＰＵ５０１に処理を行わせるプログラムによって実現される。このプログラムは、ＲＯＭ５０３や外部記憶装置５０５内に格納され、実行にあたってＲＡＭ５０２上にロードされ、ＣＰＵ５０１により実行される。また、システムサーバ１００の通信部１２０ならびにＷｅｂ予約サーバ３００の通信部３２０と、非同期サーバ２００の閉域網通信部２０１および公衆回線網通信部２０３とは各々、通信装置５０４によって実現される。
【００５７】
また、システムサーバ１００の記憶部１１０およびＷｅｂ予約サーバ３００の記憶部３１０は、ＲＡＭ５０２、ＲＯＭ５０３および外部記憶装置５０５の各々、あるいはこれらの組み合わせによって実現される。
【００５８】
また、公安委員会端末４００、教習所端末Ａ４１０、教習所端末Ｂ４２０およびユーザ端末４３０は、パーソナルコンピュータやタブレット端末などの情報処理装置により実現される。
【００５９】
なお、システムサーバ１００、非同期サーバ２００およびＷｅｂ予約サーバ３００の機能ブロックは、本実施形態において実現される機能を理解容易にするために、主な処理内容に応じて分類したものであり、各機能の分類の仕方やその名称によって、本発明が制限されることはない。また、これらサーバ装置の各構成は、処理内容に応じて、さらに多くの構成要素に分類することもできる。また、一つの構成要素がさらに多くの処理を実行するように分類することもできる。
【００６０】
［動作の説明］次に、高齢者講習予約システム１０００で行われる各処理について説明する。図９は、高齢者講習予約システム１０００で行われる処理および情報の流れの一例を示したシーケンス図である。システムサーバ１００の通信部１２０は、所定のタイミング（例えば、毎日１０：００）で公安委員会端末４００から受講対象者リストを取得する（ステップＳ００１）。
【００６１】
次に、システムサーバ１００のパスワード生成部１０２は、取得した受講対象者リストに含まれる免許証番号と所定の演算式とを用いて、受講対象者ごとにチェックデジットを生成する。また、パスワード生成部１０２は、生成したチェックデジットを含む所定桁（例えば、５桁〜１０桁）のパスワードを受講対象者ごとに生成する（ステップＳ００２）。
【００６２】
次に、システムサーバ１００の情報生成部１０３は、生成したパスワードを受講対象者リストの対応する受講対象者に対応付けた受講対象者情報１１１を生成する（ステップＳ００３）。
【００６３】
また、情報生成部１０３は、自動車教習所情報１１２と、生成した受講対象者情報１１１とを用いて受講対象者認証情報１１３を生成する（ステップＳ００４）。具体的には、情報生成部１０３は、受講対象者情報１１１に含まれる受講対象者ごとに、高齢者講習の予約可能な所定数（例えば、３つ）の自動車教習所を特定する。より具体的には、情報生成部１０３は、受講対象者情報１１１に含まれる受講対象者の住所１１１ｆと、自動車教習所情報１１２の住所１１２ｃとを用いて、受講対象者の住所から近い場所にある所定数の自動車教習所を特定する。また、情報生成部１０３は、特定した自動車教習所と、受講対象者情報１１１から抽出した受講対象者のＩＤと、パスワードと、生年月日とを対応付けた受講対象者認証情報１１３を生成する。また、情報生成部１０３は、受講対象者認証情報１１３を所定の時間帯（例えば、１２：００〜２３：００）に通信部１２０を介して非同期サーバ２００に送信する（ステップＳ００５）。
【００６４】
非同期サーバ２００の閉域網通信部２０１は、システムサーバ１００から受講対象者認証情報１１３を取得すると、通信網切替部２０２の許可に基づき、公衆回線網通信部２０３に受講対象者認証情報１１３を受け渡す（ステップＳ００６）。具体的には、通信網切替部２０２は、所定時刻（例えば、２４：００）になると、閉域網および公衆回線網の両側の通信ポートを閉じて、システムサーバ１００および閉域網通信部２０１の通信と、Ｗｅｂ予約サーバ３００および公衆回線網通信部２０３の通信とを遮断し、閉域網通信部２０１および公衆回線網通信部２０３に対して受講対象者認証情報１１３の受け渡し許可を出力する。また、かかる許可を取得すると、閉域網通信部２０１は、公衆回線網通信部２０３に受講対象者認証情報１１３を受け渡す。
【００６５】
通信網切替部２０２は、所定の時間帯（例えば、１：００〜１０：００）になると、公衆回線網側の通信ポートを開き、公衆回線網通信部２０３とＷｅｂ予約サーバ３００との通信遮断を解除する。公衆回線網通信部２０３は、Ｗｅｂ予約サーバ３００との間で通信可能になると、受講対象者認証情報１１３をＷｅｂ予約サーバ３００に送信する（ステップＳ００７）。また、Ｗｅｂ予約サーバ３００の通信部３２０は、非同期サーバ２００の公衆回線網通信部２０３から受講対象者認証情報１１３を取得する。
【００６６】
ここで、Ｗｅｂ予約サーバ３００で予約情報３１２の作成（後述のステップＳ００９）に先立って行われる講習予約枠情報３１１の生成について説明する。Ｗｅｂ予約サーバ３００は、ステップＳ００９に先だって、教習所端末Ｂ４２０から取得した高齢者講習の講習予約枠に関する情報を用いて講習予約枠情報３１１を生成する（ステップＳ００８）。
【００６７】
講習予約枠情報３１１の生成について詳述する。まず、自動車教習所の担当者は、教習所端末Ｂ４２０を用いてＷｅｂ予約サーバ３００にアクセスし、所定の自動車教習所ＩＤおよびパスワードを入力してログインする。Ｗｅｂ予約サーバ３００の表示情報生成部３０４は、ログインした教習所端末Ｂ４２０のディスプレイに対し、講習予約枠に関する情報の入力画面情報を表示させる。
【００６８】
図１０は、教習所端末Ｂ４２０に表示される講習予約枠に関する情報の入力画面６００の一例を示した図である。図示するように、入力画面６００には、カレンダー表示領域６０１と、講習枠追加ボタン６０２とが表示される。カレンダー領域６０１には、例えば、既に作成されている高齢者講習の講習予約枠などに関するスケジュール情報が表示される。講習予約枠追加ボタン６０２は、講習予約枠の作成指示を受け付けるためのボタンである。Ｗｅｂ予約サーバ３００の講習予約枠受付部３０２が教習所端末Ｂ４２０から講習予約枠ボタン６０２の押下を示す情報を取得すると、表示情報生成部３０４は、講習予約枠作成画面情報を生成し、教習所端末Ｂ４２０に表示させる。
【００６９】
図１１は、講習予約枠作成画面６１０の一例を示した図である。講習予約枠作成画面６１０は、高齢者講習の講習種別（認知機能検査、長期講習および短期講習）の選択入力欄６１１と、日程の選択入力欄６１２と、開始時刻の選択入力欄６１３と、終了時刻の選択入力欄６１４と、講習定員の選択入力欄６１５と、予約可能枠の選択入力欄６１６ａ、６１６ｂ、６１６ｃとを有している。自動車教習所の担当者は、かかる画面の選択入力欄に自校が予定する高齢者講習の講習予約枠に関する情報を入力する。Ｗｅｂ予約サーバ３００の講習予約枠受付部３０２は、通信部３２０を介して入力情報を教習所端末Ｂ４２０から取得すると、講習予約枠情報３１１を生成する。
【００７０】
図９に戻って説明する。受講対象者認証情報１１３を取得すると、Ｗｅｂ予約サーバ３００の予約受付部３０３は、受講対象者から高齢者講習の予約に関する情報の入力を受け付けて、予約情報３１２を生成する（ステップＳ００９）。
【００７１】
高齢者講習の予約にあたり、受講対象者は、ユーザ端末４３０を用いてＷｅｂ予約サーバ３００にアクセスする。Ｗｅｂ予約サーバ３００の表示情報生成部３０４は、アクセスを受け付けたユーザ端末４３０のディスプレイに対し、受講対象者の第１認証画面情報を表示させる。
【００７２】
図１２（ａ）は、ユーザ端末４３０に表示される受講対象者の第１認証画面６２０の一例を示した図である。図示するように、第１認証画面６２０には、所定のメッセージ（例えば、案内ハガキに記載のＩＤおよびパスワードの入力を促すためのメッセージ）６２１と、ＩＤ入力欄６２２と、パスワード入力欄６２３と、予約に進むボタン６２４とが表示される。受講対象者は、高齢者講習の案内ハガキに記載されているＩＤおよびパスワードを各々の入力欄に入力し、予約に進むボタンを押下する。
【００７３】
Ｗｅｂ予約サーバ３００の予約受付部３０３は、取得したＩＤおよびパスワードがシステムサーバ１００から取得した受講対象者認証情報１１３に含まれているか否かを判定することで認証を行う。予約受付部３０３は、ＩＤおよびパスワードが受講対象者認証情報１１３に含まれていると判定した場合、ユーザ端末４３０からのログインを許可する。また、表示情報生成部３０４は、第２認証画面情報を生成し、ユーザ端末４３０に表示させる。具体的には、予約受付部３０３は、取得したＩＤおよびパスワードに対応付けられている生年月日を受講対象者認証情報１１３から特定する。また、表示情報生成部３０４は、特定された生年月日を含む第２の認証画面情報を生成し、ユーザ端末４３０に表示させる。
【００７４】
図１２（ｂ）は、ユーザ端末４３０に表示される受講対象者の第２認証画面６３０の一例を示した図である。図示するように第２認証画面６３０には、所定のメッセージ（例えば、受講対象者に生年月日の入力を促すためのメッセージ）６３１と、受講対象者の生年月日６３２と、前に戻るボタン６３３と、講習選択に進むボタン６３４とが表示される。受講対象者は、自身の生年月日が正しい場合は講習選択に進むボタン６３４を押下する。
【００７５】
Ｗｅｂ予約サーバ３００の予約受付部３０３は、講習選択に進むボタン６３４が押下されたことを示す情報を取得すると、受講対象者が受講可能な自動車教習所の候補と、年齢とを受講対象者認証情報１１３から特定する。また、予約受付部３０３は、受講対象者の年齢に基づき、候補となる自動車教習所の講習予約枠情報３１１から講習種別に応じた所定日数（例えば、３ヶ月）先までの高齢者講習の実施予定を特定する。例えば、受講対象者の年齢が７５歳未満である場合、予約受付部３０３は、候補となる自動車教習所の講習予定枠情報の短期講習が対応付けられている３ヶ月先までの日程と、日程ごとの開始時刻と、車種と、定員とを特定する。また、例えば受講対象者の年齢が７５歳以上である場合、予約受付部３０３は、候補となる自動車教習所の講習予定枠情報の認知機能検査が対応付けられている３ヶ月先までの日程と、日程ごとの開始時刻と、車種と、定員とを特定する。また、表示情報生成部３０４は、これらの情報を含む予約入力画面情報を生成し、ユーザ端末４３０に送信する。
【００７６】
図１３（ａ）は、予約入力画面６４０の一例を示した図である。予約入力画面６４０は、所定のメッセージ（例えば、受講対象者に高齢者講習の予約に関する情報の入力を促すメッセージ）６４１と、講習場所（自動車教習所）の選択入力欄６４２と、日程の選択入力欄６４３と、時間の選択入力欄６４４と、車種の選択入力欄６４５と、前に戻るボタン６４６と、予約確認に進むボタン６４７とが表示される。講習場所の選択入力欄６４２には、受講対象者が高齢者講習を受講可能な自動車教習所の候補（例えば、３つ）が選択可能に表示される。また、日程６４３には、受講が必要な講習種別に応じて受講予約枠が設けられている所定日数先までの日程が選択可能に表示される。また、時間の選択入力欄６４４および車種の選択入力欄６４５には各々、日程ごとの高齢者講習の開始時間および車種が選択可能に表示される。受講対象者は、受講を希望する自動車教習所と、日程と、時間と、車種とを選択入力し、予約確認に進むボタン６４７を押下する。
【００７７】
Ｗｅｂ予約サーバ３００の予約受付部３０３が、予約確認に進むボタン６４７の押下を示す情報を取得すると、表示情報生成部３０４は、入力を受け付けた内容で正しいか否かを確認するメッセージ等を含む確認画面情報を生成し、ユーザ端末４３０に送信する。
【００７８】
図１３（ｂ）は、確認画面６５０の一例を示した図である。確認画面６５０には、所定のメッセージ（例えば、入力した予約内容が正しい場合に予約完了ボタンの押下を促すメッセージ）６５１と、受講対象者から入力を受け付けた自動車教習所名６５２と、日程６５３と、時間６５４と、車種６５５と、前に戻るボタン６５６と、予約を完了するボタン６５７とが表示される。受講対象者は、入力した予約内容が正しい場合、予約を完了するボタン６５７を押下する。
【００７９】
Ｗｅｂ予約サーバ３００の予約受付部３０３は、予約完了ボタン６５７の押下を示す情報を取得すると、ユーザ端末４３０から取得した予約に関する入力情報に基づいて予約情報３１２を生成する。また、予約受付部３０３は、予約情報３１２を所定の時間帯（例えば、１：００〜１２：００）に通信部３２０を介して非同期サーバ２００に送信する（ステップＳ０１０）。
【００８０】
非同期サーバ２００の公衆回線網通信部２０３は、Ｗｅｂ予約サーバ３００から予約情報３１２を取得すると、通信網切替部２０２の許可に基づき、閉域網通信部２０１に予約情報３１２を受け渡す（ステップＳ０１１）。具体的には、通信網切替部２０２は、所定時刻（例えば、２４：００）になると、閉域網および公衆回線網の両側の通信ポートを閉じて、システムサーバ１００および閉域網通信部２０１の通信と、Ｗｅｂ予約サーバ３００および公衆回線網通信部２０３の通信とを遮断し、閉域網通信部２０１および公衆回線網通信部２０３に対して予約情報３１２の受け渡し許可を出力する。また、かかる許可を取得すると、公衆回線網通信部２０３は、閉域網通信部２０１に予約情報３１２を受け渡す。
【００８１】
通信網切替部２０２は、所定の時間帯（例えば、１２：００〜２３：００）になると、閉域網側の通信ポートを開き、閉域網通信部２０１とシステムサーバ１００との通信遮断を解除する。閉域網通信部２０１は、システムサーバ１００との間で通信可能になると、予約情報３１２をシステムサーバ１００に送信する（ステップＳ０１２）。また、システムサーバ１００の通信部は、非同期サーバ２００の閉域網通信部２０１から予約情報３１２を取得する。
【００８２】
また、システムサーバ１００の照会受付部１０４が公安委員会端末４００および教習所端末Ａ４１０から受講予約者に関する情報の照会要求を受け付けると、情報生成部１０３は照会情報を生成する（ステップＳ０１３）。具体的には、照会受付部１０４は、受講対象者情報１１１および予約情報３１２のＩＤおよびパスワードが一致するレコードを特定し、受講予約者のＩＤ、パスワード、氏名、性別、生年月日、年齢、住所、免許証の有効年月日、交付年月日、免許種別、予約した自動車教習所名、予約した講習種別、受講予定日、受講時間帯といった所定情報を抽出する。また、情報生成部１０３は、抽出された情報を用いて照会情報を生成し、通信部１２０を介して公安委員会端末４００あるいは教習所端末Ａ４１０に送信する。
【００８３】
以上、本実施形態に係る高齢者講習予約システム１０００について説明した。このような高齢者講習予約システム１０００によれば、受講予約者の個人情報が漏洩しないよう高いセキュリティーを担保しつつより効率的に高齢者講習の予約を行うことができる。
【００８４】
なお、本発明は前述の実施形態に限られるものではなく、様々な変形例が可能である。第１の変形例に係るＷｅｂ予約サーバ３００は、受講予約者に対して予約を取った日と、受講日の前日と、高齢者講習を受講した翌日との計３回、電子メールを受講予約者に送信するようにしても良い。具体的には、Ｗｅｂ予約サーバ３００の表示情報生成部３０４は、高齢者講習の予約入力画面６４０において、受講予約者の電子メールアドレスの入力欄を設ける。また、予約受付部３０３は、受講予約者により予約確認に進むボタン６４７が押下されると受講予約者の電子メールアドレスを取得する。また、予約受付部３０３は、予約の確認画面６５０で受講予約者により予約を完了するボタン６５７が押下されると、かかる電子メールアドレスを受講予約者のＩＤおよびパスワードに対応付けた予約情報３１２を生成する。
【００８５】
また、Ｗｅｂ予約サーバ３００の予約受付部３０３は、通信部３２０を介して、高齢者講習の予約が完了した受講予約者に対し、予約完了メールを送信する。具体的には、予約受付部３０３は、対応する受講予約者のＩＤ、パスワード、生年月日、受講する教習所名、予約した講習種別名、受講予定日および受講時間帯などの情報を予約情報３１２から抽出し、これらの情報と予約が完了したことを伝えるメッセージとを含む電子メールを生成する。また、予約受付部３０３は、通信部３２０を介して、受講予約者の電子メールアドレス宛に電子メールを送信する。
【００８６】
また、Ｗｅｂ予約サーバ３００の予約受付部３０３は、定期的（例えば、１日に１回）に予約情報３１２を確認し、翌日が受講予定日となっている受講予約者を特定する。また、予約受付部３０３は、特定した受講予約者のＩＤ、パスワード、生年月日、受講する教習所名、予約した講習種別名、受講予定日および受講時間帯を予約情報３１２から抽出し、これらの情報と受講予定日が翌日であることを伝えるメッセージとを含む電子メールを生成する。また、予約受付部３０３は、通信部３２０を介して、かかる受講予約者の電子メールアドレス宛に電子メールを送信する。
【００８７】
また、Ｗｅｂ予約サーバ３００の予約受付部３０３は、定期的（例えば、１日に１回）に予約情報３１２を確認し、前日が受講予定日となっている受講予約者を特定する。また、予約受付部３０３は、特定した受講予約者のＩＤ、パスワード、生年月日、受講する教習所名、予約した講習種別名を予約情報３１２から抽出し、これらの情報と受講後に別途免許更新の手続きを促すメッセージとを含む電子メールを生成する。また、予約受付部３０３は、通信部３２０を介して、かかる受講予約者の電子メールアドレス宛に電子メールを送信する。
【００８８】
このようなＷｅｂ予約サーバ３００によれば、受講予約者に対して、受講予約が完了したこと、翌日が受講予定日であることおよび受講後には別途免許証の更新手続きが必要であることを再認識させることができる。
【００８９】
また、２０１７年３月より、７５歳以上の運転免許を持っている者が「認知機能が低下した場合に行われやすい一定の違反行為」をした場合、臨時の認知機能検査を受けることが義務付けられる。違反した高齢者には、臨時の認知機能検査を受けることを求める案内ハガキ（Ｗｅｂ予約サーバ３００にログインするためのＩＤおよびパスワードも記載されているものとする）が公安委員会から送られる。案内ハガキを受領した対象高齢者は、ハガキを受け取った日から１ヶ月以内に臨時の認知機能検査を受ける必要がある。そこで、第２の変形例に係るＷｅｂ予約サーバ３００は、臨時の認知機能検査の対象高齢者が案内ハガキによる通知から１ヶ月を過ぎても検査予約を行わない場合、Ｗｅｂ予約サーバ３００で検査予約ができないようにし、公安委員会に連絡するよう通知する。
【００９０】
臨時の認知機能検査に関する案内ハガキを対象高齢者が受領した場合、配達完了通知が県警の公安委員会に届く。公安委員会端末４００の使用者は、受講対象者リストの中から対象高齢者を特定し、特定した対象高齢者に対応付けて案内ハガキが受領された日付を入力する。
【００９１】
公安委員会端末４００は、臨時の認知機能検査に関する案内ハガキの受領日が対象高齢者のレコードに対応付けられた受講対象者リストをシステムサーバ１００に送信する。システムサーバ１００は、かかる受講対象者リストを用いて受領日が対応付けられた受講対象者情報１１１を生成する。また、前述と同様に、システムサーバ１００は、受講対象者情報１１１と自動車教習所情報１１２とを用いて受領日を対応付けた前述の受講対象者認証情報１１３を生成し、非同期サーバ２００を介して、Ｗｅｂ予約サーバ３００に送信する。
【００９２】
ここで、臨時の認知機能検査の対象高齢者が案内ハガキの受領から１ヶ月を経過した後でＷｅｂ予約サーバ３００にアクセスし、ログインのためのＩＤおよびパスワードを入力した場面について説明する。Ｗｅｂ予約サーバ３００の予約受付部３０３は、対象高齢者のＩＤおよびパスワードを取得すると、かかるＩＤ等に対応付けられた受講対象者のレコードを受講対象者認証情報１１３から特定する。また、予約受付部３０３は、特定したレコードに受領日が対応付けられている場合、受領日から１ヶ月が経過しているか否かを判定する。また、受領日から１ヶ月が経過していると判定した場合、予約受付部３０３は、表示情報生成部３０４を介して、１ヶ月が経過しているために臨時の認知機能検査の予約を受け付けないこと、および、公安委員会に連絡すべきことを伝える所定のメッセージをユーザ端末４３０に表示させる。
【００９３】
このような高齢者講習予約システム１０００によれば、臨時の認知機能検査の案内ハガキから所定期間（１ヶ月）が経過しているためにＷｅｂ予約サーバでは検査の予約ができないこと、および公安委員会に連絡すべきことを対象高齢者に認識させることができる。
【符号の説明】
【００９４】
１０００・・・高齢者講習予約システム、１００・・・システムサーバ、
２００・・・非同期サーバ、３００・・・Ｗｅｂ予約サーバ、４００・・・公安委員会端末、
４１０・・・教習所端末Ａ、４２０・・・教習所端末Ｂ、４３０・・・ユーザ端末、
１０１、３０１・・・演算部、１１０、３１０・・・記憶部、１２０、３２０・・・通信部、
１０２・・・パスワード生成部、１０３・・・情報生成部、１０４・・・照会受付部、
１１１・・・受講対象者情報、１１２・・・自動車教習所情報、１１３・・・受講対象者認証情報、
２０１・・・閉域網通信部、２０２・・・通信網切替部、２０３・・・公衆回線網通信部、
３０２・・・講習予約枠受付部、３０３・・・予約受付部、３０４・・・表示情報生成部、
３１１・・・講習予約枠情報、３１２・・・予約情報
【図１】
2018147367.tif 000003
【図２】
2018147367.tif 000004
【図３】
2018147367.tif 000005
【図４】
2018147367.tif 000006
【図５】
2018147367.tif 000007
【図６】
2018147367.tif 000008
【図７】
2018147367.tif 000009
【図８】
2018147367.tif 000010
【図９】
2018147367.tif 000011
【図１０】
2018147367.tif 000012
【図１１】
2018147367.tif 000013
【図１２】
2018147367.tif 000014
【図１３】
2018147367.tif 000015